(57)【要約】【課題】水栓本体を前後方向に調整してカウンターの前板にぴったりと当たるように設置することのできる水栓の取付構造を提供する。【解決手段】浴室壁面４ｂに取り付けられた天板５ａと前板５ｂを備えたカウンター５の該天板５ａの下側かつ該前板５ｂの浴室壁面４ｂ側の空間に、前記壁面４ｂに固定させて水栓のクランク脚９を設け、該クランク脚９に水栓本体６背面に突設したソケット部８を前後調整可能に接続して、水栓本体６の背面を前記カウンター５の前板５ｂ前面に当接させる。【選択図】図３
2007321374.tif 000002
【特許請求の範囲】
【請求項１】
浴室壁面に取り付けられた天板と前板を備えたカウンターの該天板の下側かつ該前板の浴室壁面側の空間に、前記壁面に固定させて水栓のクランク脚を設け、該クランク脚に水栓本体背面に突設したソケット部を前後調整可能に接続して、水栓本体の背面を前記カウンターの前板前面に当接させたことを特徴とする水栓の取付構造。
【請求項２】
前記水栓本体のソケット部は、背面方向に向かって略直線状に設けられ、該ソケット部の外周には雄ネジが形成され、該雄ネジに螺合される袋ナットが前記クランク脚から前記カウンター前板側へ突出されたユニオンの外周に設けられて構成され、該ユニオンの先端が前記ソケット部内に水密に差し込まれるとともに、前記袋ナットが前記ソケット部に螺合されて前記水栓本体が前記クランク脚に接続されていることを特徴とする請求項１に記載の水栓の取付構造。
【発明の詳細な説明】
【技術分野】
【０００１】
本発明は、カウンターに水栓を取り付ける水栓の取付構造に関するものである。
【背景技術】
【０００２】
従来、特許文献１に開示されているように、カウンターに埋め込まれる水栓本体と、水栓本体に設けられてカウンターから突設された操作部と、一端側が水道配管に接続され他端側が水栓本体に接続されて水道配管からの湯水を水栓本体へ供給する接続管とを備え、接続管はカウンターの内部空間にて浴室壁面に固定されて、接続管により水栓本体が支持されてなる埋込水栓が存在する。
【特許文献１】特開２０００−２８２５２３号公報
【発明の開示】
【発明が解決しようとする課題】
【０００３】
上記特許文献１に開示されている水栓の取付構造では、水栓本体はカウンターの内部空間に配置され、操作部のみがカウンターの前板前面に突出されて配置されている構造であり、前後調整はできない構造であるため、水栓本体の操作部をぴったりとカウンターの前板に当接させて配置させることが困難な場合が生ずるという問題点があった。
【課題を解決するための手段】
【０００４】
本発明は上記従来の問題点に鑑み案出したものであって、水栓本体をカウンターの前板にぴったりと当接させて設置でき、また、水栓本体の交換が容易となる水栓の取付構造を提供せんとするものであり、その請求項１は、浴室壁面に取り付けられた天板と前板を備えたカウンターの該天板の下側かつ該前板の浴室壁面側の空間に、前記壁面に固定させて水栓のクランク脚を設け、該クランク脚に水栓本体背面に突設したソケット部を前後調整可能に接続して、水栓本体の背面を前記カウンターの前板前面に当接させたことである。
【０００５】
また、請求項２は、前記水栓本体のソケット部は、背面方向に向かって略直線状に設けられ、該ソケット部の外周には雄ネジが形成され、該雄ネジに螺合される袋ナットが前記クランク脚から前記カウンター前板側へ突出されたユニオンの外周に設けられて構成され、該ユニオンの先端が前記ソケット部内に水密に差し込まれるとともに、前記袋ナットが前記ソケット部に螺合されて前記水栓本体が前記クランク脚に接続されていることである。
【発明の効果】
【０００６】
本発明の水栓の取付構造は、浴室壁面に取り付けられた天板と前板を備えたカウンターの該天板の下側かつ該前板の浴室壁面側の空間に、前記壁面に固定させて水栓のクランク脚を設け、該クランク脚に水栓本体背面に突設したソケット部を前後調整可能に接続して、水栓本体の背面を前記カウンターの前板前面に当接させたことにより、クランク脚に対し水栓本体のソケット部を前後方向に調整して、水栓本体の背面をカウンターの前板にぴったりと合わせて配置させることができ、施工が容易で、水栓をすっきりとした状態でカウンターに取り付けることができるものとなる。
【０００７】
また、前記水栓本体のソケット部は、背面方向に向かって略直線状に設けられ、該ソケット部の外周には雄ネジが形成され、該雄ネジに螺合される袋ナットが前記クランク脚から前記カウンター前板側へ突出されたユニオンの外周に設けられて構成され、該ユニオンの先端が前記ソケット部内に水密に差し込まれるとともに、前記袋ナットが前記ソケット部に螺合されて前記水栓本体が前記クランク脚に接続されていることにより、水栓本体の背面のソケット部内にクランク脚から突出されたユニオンの先端を差し込んで、前後方向に位置調整することができ、施工が容易であり、水栓本体の背面をカウンターの前板にぴったりと合わせて配置させることができる。また、水栓本体の交換も容易なものとなる。
【実施例】
【０００８】
以下、本発明の実施例を図面に基づいて説明する。
図１は、浴室の平面概略構成図であり、浴室１は、壁パネル４ａ，４ｂ，４ｃで壁面が形成されて、内部に浴槽２が設けられ、この浴槽２のエプロン２ａから浴槽２と対向する壁パネル４ａに向かって、壁パネル４ｂに沿ってカウンター５が洗い場３に設けられており、このカウンター５の前面に水栓本体６が取り付けられている。
【０００９】
図２は、水栓本体とクランク脚とカウンターの分解斜視図であり、カウンター５は、上面側の天板５ａと、天板５ａの前端で垂設された前板５ｂで構成されており、横方向中央部には開口５ｃが形成され、この開口５ｃの前面に水栓本体６が位置合わせして取り付けられるものである。
水栓本体６は、下向きの吐水口６ａが中央部に形成され、左端側には温度調節用の温調ハンドル６ｂが設けられ、右端側には、吐水と止水の切り替えを行うための切替ハンドル６ｃが設けられている。また、水栓本体６の背面には、後方側へ突出して水用および湯用のそれぞれのソケット部８，８が設けられている。
この水栓本体６を浴室の壁パネル４ｂに支持させるために、壁パネル４ｂには水用および湯用のそれぞれのクランク脚９，９が固定される。
【００１０】
クランク脚９および水栓本体６は、図３の縦断面拡大図で示すように組み付けられて設置されるものである。
なお、図４には、クランク脚９と水栓本体６を接続する構成部材の分解斜視図を示す。
図３および図４において、クランク脚９は、上端側に水栓本体６側へ突出して上接続部９ａが一体形成されており、この上接続部９ａの外周には雄ネジが形成されている。また、クランク脚９の下端側には、後方側へ一体状に下接続部９ｂが突出されており、この下接続部９ｂの外周にも雄ネジが形成されている。
【００１１】
壁パネル４ｂには、水道配管に接続された給水エルボ１０の前端側が裏側から室内側へ貫通して設けられ、この給水エルボ１０の内周の雌ネジにクランク脚９の下接続部９ｂの雄ネジを螺合させて、給水エルボ１０にクランク脚９を接続することができる。なお、給水エルボ１０の外周の雄ネジに固定フランジ１１を螺合させて、固定フランジ１１を壁パネル４ｂに締め付けることにより、給水エルボ１０が壁パネル４ｂに固定され、同時に壁パネル４ｂにクランク脚９が固定されるものである。
【００１２】
このように壁パネル４ｂに固定されるクランク脚９の上接続部９ａの内周には、ユニオン１２の右端側が螺合されて、ユニオン１２がクランク脚９から前方側へ突出され、このユニオン１２の外周には係止凸部１２ｂがリング状に形成されており、また、ユニオン１２の前端側の外周にはオーリング１３，１３が嵌め込まれている。
なお、オーリング１３を外嵌させたユニオン１２の先端側は、水栓本体６の背面から突出されたソケット部８内に水密に差し込むことができる外径寸法に設定されている。
【００１３】
なお、ソケット部８の外周には雄ネジ８ａが形成されており、この雄ネジ８ａに螺合できる袋ナット１４がユニオン１２の外周に設けられており、この袋ナット１４は、係止凸部１２ｂに当接することで前方側への抜脱が防止されている。また、クランク脚９の上接続部９ａの外周の雄ネジには、ロックナット１５が螺合されている。
【００１４】
なお、図３は、カウンターの前板５ｂに丸孔５ｄが形成されたタイプであり、この丸孔５ｄ内に前面側から水栓本体６のソケット部８が挿入されて、前板５ｂに水栓本体６の背面が当接されて配置されるものである。
即ち、袋ナット１４を回して、水栓本体６のソケット部８に対するクランク脚９側のユニオン１２の差し込み代を前後方向に調整し、確実に水栓本体６の背面をカウンターの前板５ｂの前面に当接させて取り付けることができ、この状態で袋ナット１４をロックナット１５で係止凸部１２ｂに押し付け、袋ナット１４を固定することができるものである。
【００１５】
このような水栓本体６の取付構造では、クランク脚９が壁パネル４ｂに強固に固定されており、このクランク脚９で水栓本体６が支持されるため、水栓本体６はカウンター５で支持する必要はなく、取り付け強度が良好に確保されるものである。
【００１６】
なお、水栓本体６を別のタイプの水栓に交換する場合には、ロックナット１５を緩め、袋ナット１４を回転させて、水栓本体６のソケット部８をユニオン１２から良好に抜き取ることができ、水栓本体６の交換作業も極めて容易に行なうことができるものとなり、新たな水栓本体のソケット部８にユニオン１２を差し込んで前後方向を調整して、新たな水栓本体６の背面を確実にカウンターの前板５ｂに当接させ、すっきりとした状態でカウンター５に水栓本体６を取り付けできるものとなる。
【００１７】
なお、図５に縦断面拡大図で示すものは、壁パネル４ｂの裏側に鞘管ボックス１６を設け、この鞘管ボックス１６内に給水エルボ１０を設けた場合の水栓の取付構造を示すものであり、壁パネル４ｂの裏側に配置される鞘管ボックス１６は、壁パネル４ｂの室内側から給水エルボ１０に対しフランジ１７を被せて、固定ネジ１８を給水エルボ１０に螺合させてフランジ１７を締め付け、強固に鞘管ボックス１６および給水エルボ１０を壁パネル４ｂに固定するものであり、この固定した給水エルボ１０に対し、図３と同様なクランク脚９を接続して、クランク脚９を壁パネル４ｂに固定するものである。
このクランク脚９にも、図３と同様なユニオン１２が突出され、ユニオン１２の外周には袋ナット１４が配置されており、このユニオン１２は、水栓本体６の背面から後方へ突出されたソケット部８内に差し込まれるものであり、図３と部材の構造は同一なものである。
【００１８】
図５では、壁パネル４ｂとクランク脚９の円筒部背面との間の寸法ｂは、例えば２４ｍｍとなっており、図３の場合には、壁パネル４ｂとクランク脚９の円筒部背面との間の寸法ａは１４ｍｍですむが、図５の場合には、クランク脚の位置が１０ｍｍ室内側に移動しており、このような場合にはソケット部８内に差し込まれるユニオン１２の差し込み代を大とすることにより、このａとｂの寸法差を良好に吸収することができ、水栓本体６の背面を確実にカウンターの前板５ｂの前面に当接させて、すっきりとした状態で水栓本体６を設置できるものである。
【００１９】
このようにソケット部８とユニオン１２との差し込み代が調整できて、水栓本体６を前後方向に位置調整できるため、クランク脚９の壁パネル４ｂに対する取り付け位置を変更しても、水栓本体６の背面をカウンターの前板５ｂにぴったりと当接させることができ、施工が容易なものとなる。
【００２０】
なお、カウンター５は図６の分解図で示すように、壁パネル４ｂに横方向に所定間隔で固定された４個のブラケット２０，２０，２０，２０に支持されて壁パネル４ｂに取り付けられるものであり、このカウンター５の横方向左右端には隙間調整用の排水流路部材７，７がそれぞれ設けられている。
【００２１】
この各排水流路部材７は、浴槽のエプロン２ａ或いは壁パネル４ａに当接される当接面７ａと、洗い場３側へ排水勾配を有する上面部７ｂと、上面部７ｂの前端で垂下された前面部７ｃを備えており、上面部７ｂがカウンターの天板５ａの裏側に差し込まれ、また、前面部７ｃがカウンターの前板５ｂの裏側に差し込まれて、カウンター５に対し排水流路部材７の差し込み代を調整して、浴槽のエプロン２ａおよび壁パネル４ａに左右の排水流路部材７を当接させ、カウンター５の左右の隙間を無くすことができるものである。
即ち、壁パネル４ａやエプロン２ａが正確に組み付けられていなくても、この左右の排水流路部材７により隙間を無くして、すっきりとしたカウンター５の設置状態が得られるものである。
【００２２】
図７のカウンター５裏面から見た要部拡大斜視図で示すように、カウンターの天板５ａの裏面に、垂下ネジ２５，２５が設けられた板金２４が固定されており、一方、この板金２４に重ね合わされるフランジ２６が排水流路部材７に設けられており、このフランジ２６には、垂下ネジ２５，２５が嵌まり込む横長状の横溝２６ａ，２６ａが形成され、横溝２６ａ，２６ａにより、カウンター５に対する排水流路部材７の差し込み代を左右方向に調整することができ、ぴったりと排水流路部材７をエプロン２ａ或いは壁パネル４ａに当接させた状態で、垂下ネジ２５にそれぞれ蝶ナット２７を締め付けて、排水流路部材７をカウンター５に固定することができるものである。
なお、カウンター５の底側には、ネジ２３により底板２１，２１が取り付けられ、中央部には下カバー２２が着脱可能に取り付けられるものである。
【００２３】
実施例では、カウンター５は天板５ａと前板５ｂが一体のものを例示しているが、別体でも良く、別体にした場合は、天板５ａのみの交換が可能となり、また天板５ａと前板５ｂの素材や色を異なるものとすることで、意匠性を向上させることができる。
【図面の簡単な説明】
【００２４】
【図１】浴室の平面概略構成図である。
【図２】カウンターと水栓本体とクランク脚の分解斜視図である。
【図３】カウンターと水栓本体とクランク脚を組み付けて壁パネルに固定した状態の縦断面拡大構成図である。
【図４】クランク脚と水栓本体を接続する構成部材の分解斜視図である。
【図５】鞘管ボックスを用いた場合の図３に対応する縦断面拡大構成図である
【図６】カウンターの構成部材の分解斜視図である。
【図７】カウンターを裏側から見た要部拡大斜視構成図である。
【符号の説明】
【００２５】
１  浴室
２  浴槽
２ａ  エプロン
３  洗い場
４ａ，４ｂ，４ｃ  壁パネル
５  カウンター
５ａ  天板
５ｂ  前板
６  水栓本体
６ａ  吐水口
７  排水流路部材
７ａ  当接面
７ｂ  上面部
７ｃ  前面部
８  ソケット部
８ａ  雄ネジ
９  クランク脚
９ａ  上接続部
９ｂ  下接続部
１０  給水エルボ
１１  固定フランジ
１２  ユニオン
１２ａ  雄ネジ
１２ｂ  係止凸部
１３  オーリング
１４  袋ナット
１５  ロックナット
１６  鞘管ボックス
１７  フランジ
１８  固定ネジ
２０  ブラケット
２１  底板
２２  下カバー
２４  板金
２５  垂下ネジ
２６  フランジ
２６ａ  横溝
２７  蝶ナット
【図１】
2007321374.tif 000003
【図２】
2007321374.tif 000004
【図３】
2007321374.tif 000005
【図４】
2007321374.tif 000006
【図５】
2007321374.tif 000007
【図６】
2007321374.tif 000008
【図７】
2007321374.tif 000009